(57)【要約】【課題】上方に配置されるエンジン等の機器を支持する上面を備えたユニットベースにおいて、機器の乗せ代え作業を無駄な障害物がなく容易に実施でき、且つオイルの抜き出し作業も簡単にできる、メインテナンス性を向上した機器支持用ユニットベースを提供する。【解決手段】上方に配置される機器を支持する上面を備えた機器支持用ユニットベース１において、前記ベース１は上方に突起した形状を成し、前記機器を支持する上面が皿状に平滑に形成された上皿部２ｂに形成され、前記機器類を前記上皿部２ｂに沿って横方向に移動して取り外し可能に構成したことを特徴とする。【選択図】図３
2010249266.tif 000002
【特許請求の範囲】
【請求項１】
上方に配置される機器を支持する上面を備えた機器支持用ユニットベースにおいて、
前記ベースは上方に突起した形状を成し、前記機器を支持する上面が皿状に平滑に形成された上皿面に形成され、前記機器を前記上皿面に沿って横方向に移動して取り外し可能に構成したことを特徴とする機器支持用ユニットベース。
【請求項２】
前記ベースは、前記上皿面の周囲を階段状に１段落として外周に沿って平滑面を形成し、該平滑面上にユニットの側面パネルを設置するようにしたことを特徴とする請求項１記載の機器支持用ユニットベース。
【請求項３】
前記ベースには、前記機器を防振支持する防振支持機構が前記上皿面上に取り付けられ、該防振支持機構の取付けボルトを防振支持機構の上面から前記上皿面の下方に通して、前記上皿面の下面で締め付けたことを特徴とする請求項１または２に記載の機器支持用ユニットベース。
【請求項４】
前記上皿面周囲の平滑面の上にシール部材が設置され、シール部材を介して前記平滑面上に前記側面パネルが設置されたことを特徴とする請求項１〜３のいずれかに記載の機器支持用ユニットベース。
【請求項５】
前記ベースの下部に固定されて下面が基礎部材に固定支持される下ベースを備えたことを特徴とする請求項１〜４のいずれかに記載の機器支持用ユニットベース。
【発明の詳細な説明】
【技術分野】
【０００１】
本発明は、小型エンジンが搭載されたコージェネレーションシステム等のエンジン作業機に適用され、上方に配置されるエンジン等の機器を支持する機器支持用ユニットベースに関する。
【背景技術】
【０００２】
小型エンジンが搭載されたコージェネレーションシステムにおいて、図５（ａ）、（ｂ）、（ｃ）に示すように上方に配置されるエンジンを支持する上面を備えた上ベース０７と、該上ベース０７の下部に固定されて下面が基礎部材に固定支持される下ベース０８とを備えたエンジン支持用のユニットベース０２が、特許文献１（特開２００８−１９６６３９号公報）に示されている。
【０００３】
特許文献１においては、上ベース０７は下ベース０８との接続部から、中央が窪んだ深皿の扁平状に且つ周囲が上方に突出した深皿状に形成され、下ベース０８は２本の脚部０８ａと２本の形鋼０８ｂからなる高剛性体のユニットベース０２になっていて、ユニットベース０２の振動による騒音を防止できる構成になっている。
【先行技術文献】
【特許文献】
【０００４】
【特許文献１】特開２００８−１９６６３９号公報
【発明の概要】
【発明が解決しようとする課題】
【０００５】
前記特許文献１のユニットベース０２は、エンジン等が取付けられる上ベース０７の形状が、中央が窪んだ深皿の扁平状に且つ周囲が上方に突出した深皿状に形成されている。このため、特許文献１の上ベース０７は、エンジンの乗せ代えの際には、エンジンを深皿状の縁部の壁以上に持ち上げる必要があり、エンジンの乗せ代え作業に手間と時間がかかる。
また、エンジンのオイルの抜き出しは、排油の受け皿を前記ベースの上面に挿入するか排油ホースを設置して前記ベースの外側に引き出して行う必要が有るが、上方に突出した周囲の壁が障害となりオイルの抜き出しに困難を伴う。
即ち、特許文献１の技術は、以上の２点から、メインテナンス性の向上が望まれる。
【０００６】
本発明はかかる従来技術の課題に鑑み、上方に配置されるエンジン等の機器を支持するユニットベースにおいて、機器の乗せ代え作業を無駄な抵抗がなく容易に実施でき、且つオイルの抜き出し作業も簡単にできる、メインテナンス性を向上した機器支持用ユニットベースを提供することを目的とする。
【課題を解決するための手段】
【０００７】
本発明はかかる目的を達成するもので、上方に配置される機器を支持する上面を備えた機器支持用ユニットベースにおいて、前記ベースは上方に突起した形状を成し、前記機器を支持する上面が皿状に平滑に形成された上皿面に形成され、前記機器を前記上皿面に沿って横方向に移動して取り外し可能に構成したことを特徴とする。
【０００８】
かかる発明において、好ましくは、前記ベースは、前記上皿面の周囲を階段状に１段落として外周に沿って平滑面を形成し、該平滑面上にユニットの側面パネルを設置するようにする。
【０００９】
また、かかる発明において、好ましくは、前記ベースには、前記機器を防振支持する防振支持機構が前記上皿面上に取り付けられ、該防振支持機構の取付けボルトを防振支持機構の上面から前記上皿面の下方に通して、前記上皿面の下方に設置された溶接ナットに締め付ける。
【００１０】
また、かかる発明において、好ましくは、前記上皿面周囲の平滑面上にシール部材を設置し、シール部材を介して前記側面パネル等を設置するようにする。
【００１１】
また、かかる発明において、好ましくは、前記ベースの下部に固定されて下面が基礎部材に固定支持される下ベースを設置するようにする。
【発明の効果】
【００１２】
本発明によれば、前記ベースは上方に突起した形状を成して、前記機器を支持する上面が皿状に平滑に形成された上皿面に形成されているので、上面の周囲に障害となる壁が無く、上に凸の上皿面上に取り付けられるエンジン等の機器の乗せ代えの際には、機器を持ち上げる必要がなく、また、機器を上皿面に沿って横方向に容易に移動可能であるので、機器の取り外し、組付けが容易にできる。
また、オイルの抜き出しは、通常、排油の受け皿を前記ベースの上面に挿入するか排油ホースを設置して前記ベースの外側に引き出して行う必要が有るが、本発明においては、機器を支持するのが上に凸の上皿面であり、障害となる周囲の壁が無いので容易にオイルの抜き出しができる。
よって、本発明によれば、前記のことから、メインテナンス性が良好となる。
【００１３】
また、本発明によれば、前記ベースは、前記上皿面の周囲を階段状に１段落として外周に沿って平滑面を形成することで、該平滑面上にユニットの側面パネル等を載せることができるので、前記パネルの設置が簡単で、取付け取外しの作業性もよい。
【００１４】
また、本発明によれば、前記ベースには、前記エンジン等の機器を防振支持する防振支持機構が前記上皿面上に取り付けられる際には、防振支持機構の取付けボルトを防振支持機構の上面から前記上皿面の下方に通して、前記上皿面の下方に設置された溶接ナットに締め付けるので、防振支持機構の取付け取外し作業を上皿面の上面側から行うことが出来作業性がよい。
【００１５】
また、本発明において、前記上皿面周囲の平滑面上にシール部材を設置し、シール部材を介して前記側面パネル等を設置すれば、騒音・振動の抑制に優位となる。
【００１６】
また、本発明においては、前記ベースの下部に固定されて下面が基礎部材に固定支持される下ベースを設置することも出来る。この場合、前記上皿面の下方に空間が形成されるので、前記上皿面周囲の階段状部分に指を掛けることができ、前記エンジン作業機の持ち運びが容易になるという利点もある。
【図面の簡単な説明】
【００１７】
【図１】本発明の実施例にかかるエンジン支持用のユニットベースの概要を示す斜視図である。
【図２】前記実施例にかかるユニットベースの平面図である。
【図３】図２のＺ矢視図（一部断面図）である。
【図４】図２のＡ−Ａ拡大断面図である。
【図５】従来技術を示す説明図であり、（ａ）はエンジン支持用のユニットベースの平面図、（ｂ）は側面図、（ｃ）は（ａ）のＢ−Ｂ断面図である。
【発明を実施するための形態】
【００１８】
以下、本発明を図に示した実施例を用いて詳細に説明する。但し、この実施例に記載されている構成部品の寸法、材質、形状、その相対配置などは特に特定的な記載がない限り、この発明の範囲をそれのみに限定する趣旨ではなく、単なる説明例にすぎない。
【００１９】
図１は本発明の実施例にかかるエンジン支持用のユニットベースの概要を示す斜視図、図２は、前記ユニットベースの平面図、図３は図２のＺ矢視図（一部断面図）、図４は図２のＡ−Ａ拡大断面図である。
【００２０】
図１において、この実施例は、小型エンジンで駆動されるコージェネレーションシステムの発電ユニットを示し、１００は小型のエンジンで、該エンジン１００は２段の防振継手１０３及び１０２により２段の防振架台１０１を介して４箇所で支持され、該防振継手１０２をユニットベース１に固定している。
前記ユニットベース１は、上方に配置されるエンジン１００を支持する上面を備えた上ベース２と、該上ベース２の下部に固定されて下面３ａが基礎部材（図示省略）に固定支持される下ベース３とを組み立てて構成される。
【００２１】
図２〜３において、前記ユニットベース１は、上半分の上ベース２と、下半分の下ベース３とにより構成されている。
前記上ベース２は、図３のように、上方に突起した形状を成し、前記エンジン１００を支持する上面（上皿面）２ａが平滑な皿状の上皿部２ｂ（板厚ｔ）を形成している。
前記下ベース３は前記下面３ａを有する二つの固定部材３ｂとそれらを連結する二つの連結部材３ｃから成り、前記上皿部２ｂの下方でスポット溶接等により上ベース２に結合される。また、防振継手１０３及び１０２が前記連結部材３ｃ上に位置するように配置すれば、強度的に優位となる。
【００２２】
また、前記上ベース２は、前記上皿部２ｂの周囲を階段状に１段落として外周に沿って一定幅、つまり図２において幅Ｔ１及び幅Ｔ２を平滑面２ｃ（図３参照）に形成し、該平滑面２ｃ上にスポンジ等のシール部材４を敷き、図１及び図３のように、該シール部材４の上面に前記発電ユニットの側面パネル１０４を設置可能にしている。このようにシール部材を介して側面パネルを設置すれば、振動・騒音の抑制に優位となる。
【００２３】
また、前記上皿部２ｂの上面２ａには、適宜に内部フレーム等（図示省略）の支持用のブラケット５が、少なくとも一方向、前記機器が前記上面２ａに沿って横方向に移動することを妨げない位置に所定数固定されている。
また、前記下ベース３の設置により、前記上皿部２ｂの下方に空間２ｅ（空間の隙間Ｌ）が形成されるので、前記上皿面周囲の階段状部分に下方から指を掛けることができ、前記エンジン作業機の持ち運びが容易になる。
【００２４】
図２において、６は防振継手１０２材の取付けボルト用の孔であり、防振継手１０２は防振継手１０３、防振架台１０１を介してエンジン１００を４箇所（孔は８個）で支持している。
即ち、図２のＡ−Ａ拡大断面図を示す図４において、前記エンジン１００を防振支持する防振継手１０２は、取付けボルト６ａを支持脚６ｃの上面から前記上皿部２ｂの下方に通して、前記上皿部２ｂの下面でナット６ｂにより締め付けられるように構成されている。
前記ナット６ｂを溶接ナットにして前記上皿部２ｂの下面に固定すれば、防振継手１０２の取付けボルト６ａの取付け、取外し作業を前記上皿部２ｂの上方からだけで行えるので、メインテナンス性に優れる。
【００２５】
かかる実施例においては、前記のように、上方に配置されるエンジン１００を支持する上面２ａを備えた上ベース２と、該上ベース２の下部に固定されて下面が基礎部材に固定支持される下ベース３とを備えたユニットベース１において、前記上ベース２は上方に突起した形状を成して、前記エンジン１００を支持する上面２ａが皿状に平滑に形成された上皿部２ｂに形成されている。
【００２６】
従って、上に凸の上皿部２ｂ上にエンジン１００を取り付けるので、エンジン１００の乗せ代えの際には、エンジン１００を持ち上げる必要がなく、図１のように、エンジン１００及び防振継手１０２、１０３、防振架台１０１を一体の状態でＹ矢印方向に、上面２ａに沿って障害物がなく横方向に容易に移動可能となり、エンジン１００のメインテナンスが容易にできる。
【００２７】
また、かかる実施例においては、エンジン１００のオイルの抜き出しは、通常、排油の受け皿を前記ベースの上面に挿入するか排油ホースを設置して前記ベースの外側に引き出して行う必要が有るが、この実施例においては、エンジン１００を支持するのが上に凸の上皿部２ｂであり、障害となる周囲の壁が無いので容易にオイルの抜き出しができる。  
よって、かかる実施例によれば、前記のことから、前記特許文献１よりもメインテナンス性が向上する。
【００２８】
また、以上の実施例はユニットベース１にエンジン１００を搭載する場合について説明したが、前記エンジン１００に限らず、例えば汎用小型空気圧縮機等の、振動を伴う機器であれば、前記ユニットベース１に搭載できる。
【産業上の利用可能性】
【００２９】
本発明によれば、上方に配置されるエンジン等の機器を支持する上面を備えた上ベースと該上ベースの下部に固定された下ベースとを組み合わせたユニットベースにおいて、機器の乗せ代え作業を無駄な抵抗がなく容易に実施でき、且つオイルの抜き出し作業も簡単にできる、メインテナンス性を向上した機器支持用ユニットベースを提供できる。
【符号の説明】
【００３０】
１  ユニットベース
２  上ベース
２ａ  上面（上皿面）
２ｂ  上皿部
２ｃ  平滑面
２ｅ  空間
３  下ベース
３ｂ  接続部
５  ブラケット
６  取付けボルト用の孔
６ａ  取付けボルト
６ｂ  ナット
１００  エンジン
１０１  防振架台
１０２、１０３  防振継手
Ｔ１、Ｔ２  平滑面２ｃの幅
１０４  側面パネル
【図１】
2010249266.tif 000003
【図２】
2010249266.tif 000004
【図３】
2010249266.tif 000005
【図４】
2010249266.tif 000006
【図５】
2010249266.tif 000007